(57)【要約】  ＮＢ−ＩｏＴ（Ｎａｒｒｏｗ Ｂａｎｄ Ｉｎｔｅｒｎｅｔ ｏｖｅｒ Ｔｈｉｎｇｓ）を支援するセルラー移動通信システムにおいて、基地局がＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）を送信するにあたって、基地局はＰＲＳ（Ｐｏｓｉｔｉｏｎｉｎｇ Ｒｅｆｅｒｅｎｃｅ Ｓｉｇｎａｌ）生成式と同一の生成式によって規定されるシーケンスのうち所定部分を用いてＮＰＲＳを送信して、ＰＲＳとＮＰＲＳとが同一のセルを介して送信される場合、端末にＰＲＳとＮＰＲＳを共に使用できるか否かを示す情報を送信する。【選択図】図４
2019533330.tif 000002
【特許請求の範囲】
【請求項１】
ＮＢ−ＩｏＴ（Ｎａｒｒｏｗ Ｂａｎｄ Ｉｎｔｅｒｎｅｔ ｏｖｅｒ Ｔｈｉｎｇｓ）を支援するセルラー移動通信システムにおいて、基地局がＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）を送信する方法であって、
第１の式によって規定されるシーケンスを用いてＰＲＳ（Ｐｏｓｉｔｉｏｎｉｎｇ Ｒｅｆｅｒｅｎｃｅ Ｓｉｇｎａｌ）を送信して、
前記第１の式によって規定されるシーケンスのうち所定部分を用いて前記ＮＰＲＳを送信して、
前記ＰＲＳと前記ＮＰＲＳとが同一のセルを介して送信される場合、端末に前記ＰＲＳと前記ＮＰＲＳを共に使用できるか否かを示す情報を送信することを含む、ＮＰＲＳ送信方法。
【請求項２】
前記セルがインバンド（ｉｎ−ｂａｎｄ）モードで動作する場合、前記ＮＰＲＳは、前記シーケンスのうち前記ＮＰＲＳを含むＰＲＢ（Ｐｈｙｓｉｃａｌ Ｒｅｓｏｕｒｃｅ Ｂｌｏｃｋ）の位置によって決定される所定部分を用いて送信され、
前記セルがスタンドアローン（Ｓｔａｎｄ−ａｌｏｎｅ）モードで動作する場合、前記ＮＰＲＳは、前記シーケンスのうち前記ＮＰＲＳを含むＰＲＢの位置に関係なく決定される所定部分を用いて送信される、請求項１に記載のＮＰＲＳ送信方法。
【請求項３】
前記ＮＰＲＳは、前記シーケンスのうち２つの成分を抽出して、各シンボル毎に送信される、請求項２に記載のＮＰＲＳ送信方法。
【請求項４】
さらに、前記ＮＰＲＳを含むＰＲＢの位置情報を前記端末に送信することを含む、請求項２に記載のＮＰＲＳ送信方法。
【請求項５】
前記セルがスタンドアローンモード又は保護帯域（Ｇｕａｒｄ ｂａｎｄ）モードで動作する場合、前記ＮＰＲＳは、第１のサブフレームの最初のシンボルから各シンボル毎に送信され、
前記セルがインバンドモードで動作する場合、前記ＮＰＲＳは、第２のサブフレームの最初の１つ以上の所定数のシンボルを除くシンボルから送信される、請求項１に記載のＮＰＲＳ送信方法。
【請求項６】
前記ＮＰＲＳが送信される周波数領域位置をｋとする場合、
2019533330.tif 000023
を満たし、
前記ｍは、０又は１であり、前記ｌは、ＮＰＲＳが送信されるシンボルインデックスを示し、前記
2019533330.tif 000024
は、前記ＮＰＲＳが送信させるセルＩＤに基づいて決定される、請求項１に記載のＮＰＲＳ送信方法。
【請求項７】
前記第１の式は、前記セルの識別子によって初期値が決定される擬似ランダムシーケンス生成式である、請求項１に記載のＮＰＲＳ送信方法。
【請求項８】
ＮＢ−ＩｏＴ（Ｎａｒｒｏｗ Ｂａｎｄ Ｉｎｔｅｒｎｅｔ ｏｖｅｒ Ｔｈｉｎｇｓ）を支援するセルラー移動通信システムにおいて、ＵＥ（Ｕｓｅｒ Ｅｑｕｉｐｍｅｎｔ）が基地局からＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）を受信する方法であって、
前記基地局から第１の式によって規定されるシーケンスに対応するＰＲＳ（Ｐｏｓｉｔｉｏｎｉｎｇ Ｒｅｆｅｒｅｎｃｅ Ｓｉｇｎａｌ）を受信して、
前記基地局から第１の式によって規定されるシーケンスのうち所定部分に対応する前記ＮＰＲＳを受信して、
前記基地局から前記ＰＲＳと前記ＮＰＲＳが共に使用できることを示す情報を受信する場合、前記ＰＲＳ及び前記ＮＰＲＳを共に用いて位置推定を行うことを含む、ＮＰＲＳ受信方法。
【請求項９】
前記セルがインバンド（ｉｎ−ｂａｎｄ）モードで動作する場合、前記ＮＰＲＳは、前記シーケンスのうち前記ＮＰＲＳを含むＰＲＢ（Ｐｈｙｓｉｃａｌ Ｒｅｓｏｕｒｃｅ Ｂｌｏｃｋ）の位置によって決定される所定部分を用いて受信され、
前記セルがスタンドアローン（Ｓｔａｎｄ−ａｌｏｎｅ）モードで動作する場合、前記ＮＰＲＳは、前記シーケンスのうち前記ＮＰＲＳを含むＰＲＢの位置に関係なく決定される所定部分を用いて受信される、請求項８に記載のＮＰＲＳ受信方法。
【請求項１０】
前記ＮＰＲＳは、前記シーケンスのうち２つの成分に対応して、各シンボル毎に受信される、請求項９に記載のＮＰＲＳ受信方法。
【請求項１１】
さらに、前記基地局から前記ＮＰＲＳを含むＰＲＢの位置情報を受信することを含む、請求項９に記載のＮＰＲＳ受信方法。
【請求項１２】
前記セルがスタンドアローンモード又は保護帯域（Ｇｕａｒｄ ｂａｎｄ）モードで動作する場合、前記ＮＰＲＳは、第１のサブフレームの最初のシンボルから各シンボル毎に受信され、
前記セルがインバンドモードで動作する場合、前記ＮＰＲＳは、第２のサブフレームの最初の１つ以上の所定数のシンボルを除くシンボルから各シンボル毎に受信される、請求項８に記載のＮＰＲＳ受信方法。
【請求項１３】
前記ＮＰＲＳが送信される周波数領域の位置をｋとする場合、
2019533330.tif 000025
を満たし、
前記ｍは、０又は１であり、前記ｌは、ＮＰＲＳが送信されるシンボルインデックスを示し、前記
2019533330.tif 000026
は、前記ＮＰＲＳが送信されるセルＩＤに基づいて決定される、請求項８に記載のＮＰＲＳ受信方法。
【請求項１４】
ＮＢ−ＩｏＴ（Ｎａｒｒｏｗ Ｂａｎｄ Ｉｎｔｅｒｎｅｔ ｏｖｅｒ Ｔｈｉｎｇｓ）を支援するセルラー移動通信システムにおいて、ＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）を送信する基地局であって、
第１の式によって規定されるシーケンスを用いてＰＲＳ（Ｐｏｓｉｔｉｏｎｉｎｇ Ｒｅｆｅｒｅｎｃｅ Ｓｉｇｎａｌ）を構成して、前記第１の式によって規定されるシーケンスのうち所定部分を用いて前記ＮＰＲＳを構成するプロセッサーと、
前記ＰＲＳ及び前記ＮＰＲＳを１つ以上のＵＥ（Ｕｓｅｒ Ｅｑｕｉｐｍｅｎｔ）に送信するように構成される送受信機と、を含み、
前記プロセッサーは、前記ＰＲＳと前記ＮＰＲＳとが同一のセルを介して送信される場合、前記ＵＥに前記ＰＲＳと前記ＮＰＲＳを共に使用できるか否かを示す情報を送受信機を介して送信するように構成される、基地局。
【請求項１５】
ＮＢ−ＩｏＴ（Ｎａｒｒｏｗ Ｂａｎｄ Ｉｎｔｅｒｎｅｔ ｏｖｅｒ Ｔｈｉｎｇｓ）を支援するセルラー移動通信システムにおいて、ＵＥ（Ｕｓｅｒ Ｅｑｕｉｐｍｅｎｔ）が基地局からＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）を受信するユーザ機器（ＵＥ）であって、
前記基地局から第１の式によって規定されるシーケンスに対応するＰＲＳ（Ｐｏｓｉｔｉｏｎｉｎｇ Ｒｅｆｅｒｅｎｃｅ Ｓｉｇｎａｌ）を受信して、前記基地局から前記第１の式によって規定されるシーケンスのうち所定部分に対応する前記ＮＰＲＳを受信するように構成される送受信機と、
前記送受信機を介して前記基地局から前記ＰＲＳと前記ＮＰＲＳを共に使用できることを示す情報を受信する場合、前記ＰＲＳ及び前記ＮＰＲＳを共に用いて位置推定を行うように構成されるプロセッサーと、を含む、ユーザ機器。
【発明の詳細な説明】
【技術分野】
【０００１】
本発明は、次世代無線通信システムにおいて、モノのインターネット（ＩｏＴ）サービス支援のための狭帯域通信に関し、詳細には、狭帯域ＩｏＴ通信に用いられるＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を送信する方法及びそのための装置に関する。
【背景技術】
【０００２】
近来、モノのインターネット（Ｉｎｔｅｒｎｅｔ  ｏｆ  Ｔｈｉｎｇｓ）技術への要求が増大しており、このＩｏＴサービス支援のためにＮＢ−ＩｏＴ（Ｎａｒｒｏｗ  Ｂａｎｄ  ＩｏＴ）技術が論議されている。ＮＢ  ＩｏＴにおいては、低い機器の複雑さ及び低い電力消費を有して、且つ接続する機器間に適宜な処理率が提供できることが求まれる。
【０００３】
ＮＢ  ＩｏＴに対する標準化のうち３ＧＰＰでは、ＧＳＭ、ＷＣＤＭＡ又はＬＴＥのような他の３ＧＰＰ技術と結合して動作できるＮＢ  ＩｏＴ技術が研究されている。そのために、従来のシステムとの観点からどんなリソース構造を有すべきかについて論議されている。
【０００４】
図１は、ＮＢ  ＩｏＴにおいて利用可能な３つのモードを説明するための図である。
【０００５】
上述した要求を満たすために、ＮＢ  ＩｏＴでは、上りリンク及び下りリンクの両方で１８０ｋＨｚのチャンネル帯域幅を活用することを考慮している。これはＬＴＥシステムにおいて１つのＰＲＢ（Ｐｈｙｓｉｃａｌ  Ｒｅｓｏｕｒｃｅ  Ｂｌｏｃｋ）に対応する間隔である。
【０００６】
図１に示されているように、ＮＢ−ＩｏＴは、スタンドアローン動作、保護帯域動作及びインバンド動作といった３つのモードを支援することができる。特に、図１の下端に示されたインバンド配置モードでは、ＮＢ−ＩｏＴ動作がＬＴＥチャンネル帯域幅内の特定の狭帯域を介して行われてもよい。
【０００７】
また、ＮＢ  ＩｏＴにおいて無線機器に拡張されたＤＲＸサイクル、ＨＤ−ＦＤＤ（ｈａｌｆ−ｄｕｐｌｅｘ  ＦＤＤ）動作及び単一受信アンテナを用いることは、実質的に電力及びコストを減少させる。
【発明の概要】
【発明が解決しようとする課題】
【０００８】
上述したようなＮＢ  ＩｏＴ動作のためには、ＰＲＳ（Ｐｏｓｉｔｉｏｎｉｎｇ  Ｒｅｆｅｒｅｎｃｅ  Ｓｉｇｎａｌ）の送信が望ましい。そのために、従来のＬＴＥ動作におけるＰＲＳとＮＢ−ＩｏＴ動作のためのＰＲＳをどのように設定するか、具体的な送信方式をどのように規定するか、ＮＢ−ＩｏＴ動作のための他のＲＳとはどんな関係を有するようにするかに関する検討が必要である。
【課題を解決するための手段】
【０００９】
上述したような課題を解決するために、本発明の一側面では、ＮＢ−ＩｏＴ（Ｎａｒｒｏｗ  Ｂａｎｄ  Ｉｎｔｅｒｎｅｔ  ｏｖｅｒ  Ｔｈｉｎｇｓ）を支援するセルラー移動通信システムにおいて、基地局がＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を送信する方法であって、第１の式によって規定されるシーケンスを用いてＰＲＳ（Ｐｏｓｉｔｉｏｎｉｎｇ  Ｒｅｆｅｒｅｎｃｅ  Ｓｉｇｎａｌ）を送信して、第１の式によって規定されるシーケンスのうち所定部分を用いてＮＰＲＳを送信して、ＰＲＳとＮＰＲＳとが同一のセルを介して送信される場合、端末にＰＲＳとＮＰＲＳを共に使用できるか否かを示す情報を送信することを含む、ＮＰＲＳ送信方法を提案する。
【００１０】
セルがインバンド（ｉｎ−ｂａｎｄ）モードで動作する場合、ＮＰＲＳはシーケンスのうちＮＰＲＳを含むＰＲＢ（Ｐｈｙｓｉｃａｌ  Ｒｅｓｏｕｒｃｅ  Ｂｌｏｃｋ）の位置によって決定される所定部分を用いて送信され、セルがスタンドアローン（Ｓｔａｎｄ−ａｌｏｎｅ）モードで動作する場合、ＮＰＲＳは、シーケンスのうちＮＰＲＳを含むＰＲＢの位置に関係なく決定される所定部分を用いて送信されてもよい。
【００１１】
ＮＰＲＳは、シーケンスのうち２つの成分を抽出して各シンボル毎に送信されてもよい。
【００１２】
さらに、ＮＰＲＳを含むＰＲＢの位置情報を端末に送信することを含んでもよい。
【００１３】
セルがスタンドアローンモード又は保護帯域（Ｇｕａｒｄ  ｂａｎｄ）モードで動作する場合、ＮＰＲＳは、第１のサブフレームの最初のシンボルから各シンボル毎に送信され、セルがインバンドモードで動作する場合、ＮＰＲＳは、第２のサブフレームの最初の１つ以上の所定数のシンボルを除くシンボルから送信されてもよい。
【００１４】
ＮＰＲＳが送信される周波数領域位置をｋとする場合、
2019533330.tif 000003
を満たし、ｍは、０又は１であり、ｌは、ＮＰＲＳが送信されるシンボルインデックスを示し、
2019533330.tif 000004
は、ＮＰＲＳが送信させるセルＩＤに基づいて決定されてもよい。
【００１５】
第１の式は、セルの識別子によって初期値が決定される擬似ランダムシーケンス生成式であってもよい。
【００１６】
一方、本発明の別の一側面では、ＮＢ−ＩｏＴ（Ｎａｒｒｏｗ  Ｂａｎｄ  Ｉｎｔｅｒｎｅｔ  ｏｖｅｒ  Ｔｈｉｎｇｓ）を支援するセルラー移動通信システムにおいて、ＵＥ（Ｕｓｅｒ  Ｅｑｕｉｐｍｅｎｔ）が基地局からＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を受信する方法であって、基地局から第１の式によって規定されるシーケンスに対応するＰＲＳ（Ｐｏｓｉｔｉｏｎｉｎｇ  Ｒｅｆｅｒｅｎｃｅ  Ｓｉｇｎａｌ）を受信して、基地局から第１の式によって規定されるシーケンスのうち所定部分に対応するＮＰＲＳを受信して、基地局からＰＲＳとＮＰＲＳが共に使用できることを示す情報を受信する場合、ＰＲＳ及びＮＰＲＳを共に用いて位置推定を行うことを含む、ＮＰＲＳ受信方法を提案する。
【００１７】
セルがインバンド（ｉｎ−ｂａｎｄ）モードで動作する場合、ＮＰＲＳは、シーケンスのうちＮＰＲＳを含むＰＲＢ（Ｐｈｙｓｉｃａｌ  Ｒｅｓｏｕｒｃｅ  Ｂｌｏｃｋ）の位置によって決定される所定部分を用いて受信され、セルがスタンドアローン（Ｓｔａｎｄ−ａｌｏｎｅ）モードで動作する場合、ＮＰＲＳは、シーケンスのうちＮＰＲＳを含むＰＲＢの位置に関係なく決定される所定部分を用いて受信されてもよい。
【００１８】
ＮＰＲＳは、シーケンスのうち２つの成分に対応して、各シンボル毎に受信されてもよい。
【００１９】
さらに、基地局からＮＰＲＳを含むＰＲＢの位置情報を受信することを含んでもよい。
【００２０】
セルがスタンドアローンモード又は保護帯域（Ｇｕａｒｄ  ｂａｎｄ）モードで動作する場合、ＮＰＲＳは、第１のサブフレームの最初のシンボルから各シンボル毎に受信され、セルがインバンドモードで動作する場合、ＮＰＲＳは、第２のサブフレームの最初の１つ以上の所定数のシンボルを除くシンボルから各シンボル毎に受信されてもよい。
【００２１】
ＮＰＲＳが送信される周波数領域の位置をｋとする場合、
2019533330.tif 000005
を満たし、ｍは、０又は１であり、ｌは、ＮＰＲＳが送信されるシンボルインデックスを示し、
2019533330.tif 000006
は、ＮＰＲＳが送信されるセルＩＤに基づいて決定されてもよい。
【００２２】
一方、本発明の別の一側面では、ＮＢ−ＩｏＴ（Ｎａｒｒｏｗ  Ｂａｎｄ  Ｉｎｔｅｒｎｅｔ  ｏｖｅｒ  Ｔｈｉｎｇｓ）を支援するセルラー移動通信システムにおいて、ＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を送信する基地局であって、第１の式よって規定されるシーケンスを用いてＰＲＳ（Ｐｏｓｉｔｉｏｎｉｎｇ  Ｒｅｆｅｒｅｎｃｅ  Ｓｉｇｎａｌ）を構成して、第１の式によって規定されるシーケンスのうち所定部分を用いてＮＰＲＳを構成するプロセッサーと、ＰＲＳ及びＮＰＲＳを１つ以上のＵＥ（Ｕｓｅｒ  Ｅｑｕｉｐｍｅｎｔ）に送信するように構成される送受信機と、を含み、プロセッサーは、ＰＲＳとＮＰＲＳとが同一のセルを介して送信される場合、ＵＥにＰＲＳとＮＰＲＳが共に使用できるか否かを示す情報を送受信機を介して送信するように構成される、基地局を提案する。
【００２３】
また、本発明の別の一側面では、ＮＢ−ＩｏＴ（Ｎａｒｒｏｗ  Ｂａｎｄ  Ｉｎｔｅｒｎｅｔ  ｏｖｅｒ  Ｔｈｉｎｇｓ）を支援するセルラー移動通信システムにおいて、ＵＥ（Ｕｓｅｒ  Ｅｑｕｉｐｍｅｎｔ）が基地局からＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を受信するユーザ機器（ＵＥ）であって、基地局から第１の式によって規定されるシーケンスに対応するＰＲＳ（Ｐｏｓｉｔｉｏｎｉｎｇ  Ｒｅｆｅｒｅｎｃｅ  Ｓｉｇｎａｌ）を受信して、基地局から第１の式によって規定されるシーケンスのうち所定部分に対応するＮＰＲＳを受信するように構成される送受信機と、送受信機を介して基地局からＰＲＳとＮＰＲＳを共に使用できることを示す情報を受信する場合、ＰＲＳ及びＮＰＲＳを共に用いて位置推定を行うように構成されるプロセッサーと、を含む、ユーザ機器を提案する。
【発明の効果】
【００２４】
上述した本発明によれば、次世代無線通信システムにおいて、より効率的にＮＢ  ＩｏＴ動作のためのＮＰＲＳを送受信することができる。
【図面の簡単な説明】
【００２５】
【図１】ＮＢ  ＩｏＴにおいて利用可能な３つのモードを説明するための図である。
【図２】ＰＲＳ送信パターンを示す図である。
【図３】ＰＲＳ送信パターンを示す図である。
【図４】本発明の一実施例によってＮＰＲＳを送信する方法を説明するための図である。
【図５】本発明の一実施例によってＮＢ−ＩｏＴの各動作モードのＮＰＲＳ構成を説明するための図である。
【図６】本発明の一実施例によってＵＥがＮＢ−ＩｏＴ下りリンク参照信号を受信する方式を説明するための図である。
【図７】本発明を実行する送信装置１０及び受信装置２０の構成要素を示すブロック図である。
【発明を実施するための形態】
【００２６】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。
【００２７】
以下の詳細な説明は、本発明の完全な理解を提供するために具体的な細部事項を含む。しかし、当業者にとってはこのような具体的な細部事項なしにも本発明を実施できることは明らかである。場合によっては、本発明の概念が曖昧になることを避けるために、公知の構造及び装置を省略したり、各構造及び装置の核心機能を中心にしたブロック図の形式で示すことができる。
【００２８】
上述のように、本発明では、狭帯域ＩｏＴ通信に用いられるＰＲＳ、すなわちＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）を送信する方法及びそのための装置を説明する。
【００２９】
３ＧＰＰ  ＬＴＥ標準では、様々なＩｏＴ／ＭＴＣ  ＵＥの設置環境を考慮して、非常に大きいｐａｔｈ−ｌｏｓｓ／ｐｅｎｅｔｒａｔｉｏｎ−ｌｏｓｓが発生するＵＥを支援するためのｃｏｖｅｒａｇｅ  ｅｎｈａｎｃｅｍｅｎｔ（ＣＥ）方式を支援する。代表的な方式として、一般ＵＥに比べて最大１５ｄＢ以上のｃｏｖｅｒａｇｅを支援するために、各ＵＥに送信するＰＤＣＣＨ／ＰＤＳＣＨなどのチャンネルと各ＵＥが送信するＰＵＳＣＨ／ＰＵＣＣＨなどのチャンネルを複数のサブフレーム或いはＲＵ（ｒｅｓｏｕｒｃｅ  ｕｎｉｔ）にかけて繰り返し送信する方式を支援している。
【００３０】
特に、ＬＴＥ  ＮＢ−ＩｏＴシステムは、１８０ｋＨｚの帯域幅（１ＲＢ：１８０ｋＨｚ＝１５ｋＨｚｘ１２ＲＥ）を用いて、Ｓｔａｎｄ−ａｌｏｎｅ  ｏｐｅｒａｔｉｏｎ、Ｇｕａｒｄ  ｂａｎｄ  ｏｐｅｒａｔｉｏｎ、Ｉｎ−ｂａｎｄ  ｏｐｅｒａｔｉｏｎ（ｓａｍｅ  ｃｅｌｌ−ＩＤ、ｄｉｆｆｅｒｅｎｔ  ｃｅｌｌ−ＩＤ）などのモードで動作することができる。また、ＮＢ−ＩｏＴシステムは、Ｍｕｌｔｉｐｌｅ  ＰＲＢ送信が可能であり、基地局は、Ｍｕｌｔｉｐｌｅ  ＰＲＢを同時に使用できる一方、ＮＢ−ＩｏＴ端末のＲＦは、Ｎａｒｒｏｗ  ｂａｎｄ（約２００ｋＨｚの帯域幅）受信が可能であり、ＲＦ  ｔｕｎｎｉｎｇでｍｕｌｔｐｌｅ  ＰＲＢをホッピング（ｈｏｐｐｉｎｇ）することができる。同期信号（Ｓｙｎｃｈｒｏｎｉｚａｔｉｏｎ  Ｓｉｇｎａｌ）、システム情報（Ｓｙｓｔｅｍ  Ｉｎｆｏｒｍａｔｉｏｎ）などが送信されるＰＲＢのみならず、データ送信用として用いられるＰＲＢなどがある。一般ＣＰを有するＯＦＤＭシンボルを用いて、サブフレームは１４個のＯＦＤＭシンボルからなる。
【００３１】
以下では、ＮＢ−ＩｏＴ動作のために新たに規定するＰＲＳをＮＰＲＳと規定する。ＮＢ−ＩｏＴ  ＰＤＳＣＨにはＮＰＲＳが定義されてもよい。インバンド動作（Ｉｎ−ｂａｎｄ  ｏｐｅｒａｔｉｏｎ）では、サブフレームの最初の３個のＯＦＤＭシンボルは、ＬＴＥシステムのＰＤＣＣＨが送信されることを仮定してＮＢ−ＩｏＴは使用せず、ＬＴＥ  ＣＲＳ位置にはデータが送信されないことが望ましい。インバンド動作モードではＮＢ−ＩｏＴ端末はＬＴＥ  ＣＲＳを用いてもよい。
【００３２】
以下に説明するＮＰＲＳ送信方式では、基本的に、ＬＴＥシステムのＰＲＳ送信方式を考慮して再使用できる構造と両者の関係について規定する。
【００３３】
ＬＴＥ−ＰＲＳ
【００３４】
３ＧＰＰ  ＬＴＥ  Ｒｅｌｅａｓｅ−９で定義したＰＲＳ（Ｐｏｓｉｔｉｏｎｉｎｇ  Ｒｅｆｅｒｅｎｃｅ  Ｓｉｇｎａｌ）は、ＬＴＥ  Ｒｅｌｅａｓｅ−８で定義したＣｅｌｌ−ｓｐｅｃｉｆｉｃ  ｒｅｆｅｒｅｎｃｅ  ｓｉｇｎａｌと同様に設計されている。一ＯＦＤＭシンボルでは６ＲＥ間隔で配置され、Ｃｅｌｌ−ＩＤによって周波数シフトされ、Ｃｅｌｌ−ＩＤによってシード（ｓｅｅｄ）が決定されるｐｓｅｕｄｏ−ｒａｎｄｏｍ  ＱＰＳＫシーケンスがマッピングされる。ＰＤＣＣＨ、ｃｅｌｌ−ｓｐｅｃｉｆｉｃ  ｒｅｆｅｒｅｎｃｅ  ｓｉｇｎａｌが送信されるＯＦＤＭシンボルを除くＯＦＤＭシンボルに送信され、各ＯＦＤＭシンボル毎に周波数ドメインでシフトされる。連続するＮ個のサブフレーム（Ｎ＝１，２，４，６）でＰＲＳが送信され、１６０、３２０、６４０、１２８０サブフレームの送信周期が定義される。ＰＲＳ送信サブフレームの最初のサブフレームは、送信周期、ＰＲＳサブフレームオフセット、システムフレーム番号の関数で決定される。ＰＲＳバンド幅は、１．４ＭＨｚ、３ＭＨｚ、５ＭＨｚ、１０ＭＨｚ、１５ＭＨＺ、２０ＭＨｚなどになり得る。１６０ｍｓ送信周期を仮定するとき、１．４ＭＨｚ  ＰＲＳ帯域幅では、連続した６個のサブフレームを用いる例が挙げられる。長い送信周期はＵＥ  ｒｅｐｏｎｓｅ  ｔｉｍｅを延ばすことになる。ＬＴＥはＩｎｔｅｒ  ｆｒｅｑｕｅｎｃｙ  ｍｅａｓｕｒｅｍｅｎｔを定義する。
【００３５】
図２及び図３は、ＰＲＳ送信パターンを示す図である。
【００３６】
具体的には、図２は一般（ｎｏｒｍａｌ）ＣＰを用いる場合のＰＲＳ送信パターンを、図３は拡張（ｅｘｔｅｎｄｅｄ）ＣＰを用いる場合のＰＲＳ送信パターンを示す。
【００３７】
ＰＲＳは、以下のようなｐｓｅｕｄｏ−ｒａｎｄｏｍシーケンス生成式によって規定される。
【００３８】
【数１】
2019533330.tif 000007
【００３９】
ここで、
2019533330.tif 000008
は無線フレームにおけるスロット番号を、スロットにおけるｌはＯＦＤＭシンボル番号を示し、
2019533330.tif 000009
は最大の下りリンク帯域幅構成の場合をＲＢ当たりサブキャリア数の倍数単位で示したものである。
【００４０】
式１において、ｃ（ｉ）はＬＴＥ標準で規定されるｐｓｅｕｄｏ−ｒａｎｄｏｍ  ｓｅｑｕｅｎｃｅ定義に従い、初期値はセルＩＤによって規定されてもよい。
【００４１】
上述のように規定されるシーケンスは、以下のように複素変調シンボル
2019533330.tif 000010
にマッピングされてもよい。
【００４２】
【数２】
2019533330.tif 000011
【００４３】
ここで、一般ＣＰを用いる場合は以下に従う。
【００４４】
【数３】
2019533330.tif 000012
【００４５】
一方、拡張ＣＰを用いる場合は以下に従う。
【００４６】
【数４】
2019533330.tif 000013
【００４７】
ここで、ＰＲＳの帯域幅を示す
2019533330.tif 000014
は上位層信号に従い、
2019533330.tif 000015
を満たす。
【００４８】
このような方式に従って、図２及び図３に示されたようにＰＲＳが送信されてもよい。
【００４９】
ＮＢ−ＩｏＴシステムにおいてＰＲＳ送信サブフレームを定義して、インバンド動作でＬＴＥシステムのＰＲＳ送信サブフレームを活用する方法の案を提案する。
【００５０】
ＮＰＲＳ送信方法
【００５１】
図４は、本発明の一実施例によってＮＰＲＳを送信する方法を説明するための図である。
【００５２】
ＮＢ−ＩｏＴを支援するセルラー移動通信システムにおいて、基地局がＮＰＲＳ（Ｎａｒｒｏｗｂａｎｄ  Ｐｏｓｉｔｉｏｎｉｎｇ  Ｒｅｆｅｒｅｎｃｅ  Ｓｉｇｎａｌ）又はＮＢ−ＩｏＴ  ＰＲＳを送信するにあたって、先ず、基地局は、図２及び図３に関して上述したようにＰＲＳを送信してもよい（Ｓ４１０）。また、本実施例では、ＮＢ−ＩｏＴのためのＮＰＲＳをＰＲＳと同一の式（例えば、式１）に基づいたシーケンスを用いるものの、ＮＢ−ＩｏＴ動作帯域に合わせて当該シーケンスのうち一部の成分を用いてＮＰＲＳを送信することを提案する（Ｓ４２０）。
【００５３】
このように、同じ式に基づいて生成されたＰＲＳとＮＰＲＳのメリットは、必要に応じて両者を混用して使用できるということである。これによって、本実施例による基地局は、ＰＲＳとＮＰＲＳとが同一のセルを介して送信される場合、端末にＰＲＳとＮＰＲＳを共に使用できるか否かを示す情報を送信することを提案する。
【００５４】
互いに異なるＲＡＴ又は様々なサービスのためにそれぞれ定義された物理チャンネル（Ｐｈｙｓｉｃａｌ  Ｃｈａｎｎｅｌ）が同一のチャリアで多重化されることを許容するシステムにおいて、互いに異なるＲＡＴ又は様々なサービスのためにそれぞれ定義された物理チャンネルが同一のキャリアで多重化され、あるＲＡＴ又は物理チャンネルが用いる周波数リソースにおける一部を他のＲＡＴ又は物理チャンネルが占有することが許容される場合、特定のＲＡＴ又は物理チャンネルで定義した信号を他のＲＡＴ又は他の物理チャンネルで共有して用いることができる。特に、３ＧＰＰ  ＬＴＥ  ＰＤＳＣＨが送信される帯域のうち一部でＮＰＤＳＣＨの送信を許容する場合、ＰＤＳＣＨで送信されるＰＲＳ（Ｐｏｓｉｔｉｏｎｉｎｇ  Ｒｅｆｅｒｅｎｃｅ  Ｓｉｇｎａｌ）はＮＰＤＳＣＨで送信できるようにして、ＮＢ−ＩｏＴ端末はＰＤＳＣＨのＰＲＳを用いることができる。
【００５５】
具体的なＮＰＲＳ構成方法は、以下のようである。
【００５６】
本発明の一実施例において、ＮＢ−ＩｏＴ  ＰＲＳは１４個のＯＦＤＭシンボルを含むことを仮定する。また、ＮＢ−ＩｏＴ  ＰＲＳサブフレームは、ＬＴＥ  ＰＲＳサブフレームの送信区間よりもＮ倍長い時間区間の間に送信されてもよい。例えば、Ｎ＝６とするとき、ＮＢ−ＩｏＴシステムは、連続する６、１２、２４、３６サブフレームにおいてＮＢ−ＩｏＴ  ＰＲＳを送信することができる。
【００５７】
ＮＢ−ＩｏＴ  ＰＲＳサブフレームが送信可能な候補ＰＲＢは多数あってもよい。候補ＰＲＢはインバンド（ｉｎ−ｂａｎｄ）動作モードでは、インバンドのみならず保護帯域（ｇｕａｒｄ  ｂａｎｄ）でもＰＲＳサブフレームが送信されてもよく、逆に、保護帯域動作モードでは、保護帯域及びインバンドでＰＲＳサブフレーム送信が指示されてもよい。スタンドアローン動作モードである場合も、ＰＲＳサブフレームが送信可能な候補キャリアを指定することができる。
【００５８】
ＮＢ−ＩｏＴ基地局は指示した候補ＰＲＢ或いは候補キャリア別にＮＢ−ＩｏＴ  ＰＲＳサブフレーム送信周期を設定してもよい。ＮＢ−ＩｏＴ端末は特定の時間区間では１つのＰＲＢでＮＢ−ＩｏＴ  ＰＲＳサブフレームを受信して、当該ＰＲＢで送信されるＮＢ−ＩｏＴ  ＰＲＳサブフレーム送信周期の間にｉｎｔｅｒ−ＰＲＢで送信されるＮＢ−ＩｏＴ  ＰＲＳサブフレームを受信してもよい。
【００５９】
ＮＢ−ＩｏＴ端末が複数のＰＲＢ或いは複数のキャリアからＮＢ−ＩｏＴ  ＰＲＳサブフレームを受信したい場合、ベースバンド或いはキャリアからインターバンド（ｉｎｔｅｒ−ｂａｎｄ）又はインターキャリア（ｉｎｔｅｒ−ｃａｒｒｉｅｒ）にスイッチング（ｓｗｉｔｃｈｉｎｇ）するための時間、及びインターバンド又はインターキャリアからベースバンド或いはキャリアに再び回帰するためのスイッチング時間が求められ、インターバンド又はインターキャリアから送信されるＮＢ−ＩｏＴ  ＰＲＳサブフレームの長さは、ベースバンド或いはベースキャリアから送信されるＮＢ−ＩｏＴ  ＰＲＳサブフレームの長さよりもＮサブフレームほど短い長さ（例えば、前の一サブフレームと後ろの一サブフレーム−全部で２つのサブフレーム）ＮＢ−ＩｏＴ  ＰＲＳサブフレームでＰＲＳを受信していると仮定することができる。ＮＢ−ＩｏＴシステムにおいて複数のバンド或いは複数のキャリアでＮＢ−ＩｏＴ  ＰＲＳサブフレームを送信するとき、ベースバンド或いはベースキャリアで送信されるＮＢ−ＩｏＴ  ＰＲＳサブフレームの数は、Ｎサブフレーム以上になるように設定した方が好ましい。すなわち、複数のＰＲＢ或いは複数のキャリアにおいてＮＢ−ＩｏＴ  ＰＲＳサブフレームが送信され、ＮＢ−ＩｏＴ端末は複数のバンド或いは複数のキャリアをスイッチングし、ＮＢ−ＩｏＴ  ＰＲＳサブフレームを受信する場合、ベースバンド或いはベースキャリアでは指示されたＮＢ−ＩｏＴ  ＰＲＳサブフレームの長さの間にＰＲＳを受信することができ、その後、インターバンド或いはインターキャリアにスイッチングして、ベースバンド或いはベースキャリアに再びスイッチングする各スイッチング時間はインターバンド或いはインターキャリアのＮＢ−ＩｏＴ  ＰＲＳサブフレーム受信時間内に含まれると仮定して、ＮＢ−ＩｏＴ端末はインターバンド或いはインターキャリアのＮＢ−ＩｏＴ  ＰＲＳサブフレームが送信されると指定されたサブフレームの長さより短い時間区間の間にＮＢ−ＩｏＴ  ＰＲＳを受信することを仮定する。
【００６０】
スタンドアローンキャリア及び保護帯域のＰＲＢでは、１４個のＯＦＤＭシンボルでＮＢ−ＩｏＴ  ＰＲＳが送信され、インバンドではＬＴＥ  ＰＤＣＣＨ（３ＯＦＤＭシンボルを仮定）、ＬＴＥ  ＣＲＳ（１Ｔｘ，  ２Ｔｘ，  ４Ｔｘ）との重なりを避けることを仮定する。
【００６１】
ＮＢ−ＩｏＴ  ＰＲＳは１２個のＲＥのうち２個のＲＥに配置され、２個のＰＲＳは周波数において６個のＲＥ間隔を有する（例えば、０−６、１−７、２−８、３−９、４−１０、５−１１など）。当該位置は、Ｃｅｌｌ−ＩＤによって周波数シフトされる。ＮＢ−ＩｏＴ  ＰＲＳは７個のＯＦＤＭシンボル単位で繰り返されるパターンを有する。すなわち、周波数位置ｋは、ｋ＝６ｘｍ＋（６−ｎ＋ｖｓｈｉｆｔ）ｍｏｄ６と表示して、ここで、ＯＦＤＭシンボル当たりＰＲＳ数が２である場合、ｍ＝０，１であり、スロット当たりＯＦＤＭシンボル数が７である場合、ｎ＝０，１，２，３，４，５，６であり、ｃｅｌｌ−ｉｄによって決定されるｖｓｈｉｆｔ＝Ｎｃｅｌｌ−ＩＤ  ｍｏｄ６と表示され得る。ＮＢ−ＩｏＴ  ＰＲＳに用いられるシーケンスはＬＴＥシステムにおいて定義しているｐｓｅｕｄｏ−ｒａｎｄｏｍシーケンスを用いて、シーケンス生成（ｓｅｑｕｅｎｃｅ  ｇｅｎｅｒａｔｉｏｎ）のシード（ｓｅｅｄ）はスロット数（ｎｓ＝０，１，…，１９）、ＯＦＤＭシンボル数（ｎ＝０，１，２，…，６）、ｃｅｌｌ  ＩＤ、ＣＰ長の関数で決定される。
【００６２】
本発明の一実施例では、インバンド動作モードではＰＲＢ位置に該当するシーケンスを用いて、スタンドアローン動作モードではＰＲＢ位置が固定されていると仮定してシーケンスを用いることを提案する。
【００６３】
図５は、本発明の一実施例によって、ＮＢ−ＩｏＴ動作モード別のＮＰＲＳの構成を説明するための図である。
【００６４】
図１に関して上述したように、ＮＢ−ＩｏＴ動作はＬＴＥ帯域内に含まれて動作するインバンドモード、保護帯域モード、及びＬＴＥ帯域と独立して存在するスタンドアローンモードがある。上述したように、本実施例では、ＮＰＲＳの生成式をＰＲＳと同一の生成式を用いて構成することを仮定している。この状態において、本実施例では、ＮＰＲＳを構成するにあたって、インバンドモードではＮＰＲＳが送信されるＰＲＢの位置を考慮してシーケンスのうち一部の成分（シンボル当たり２個の成分）を用いることを提案する。このように、インバンド動作においてＮＰＲＳを送信するＰＲＢ位置を考慮することで、上述のようにＰＲＳと共に測定に使用するときの性能向上を図ることができる。
【００６５】
ただし、保護帯域モード又はスタンドアローンモードの場合、上述のようにＮＰＲＳを送信する位置を考慮する必要がないため、ＮＰＲＳ送信位置に関係なく、シンボル当たり２個の成分を抽出してＮＰＲＳを構成することができる。
【００６６】
一方、ＮＢ−ＩｏＴ  ＰＲＳは、１２個のＲＥのうち４個のＲＥに配置され、４個のＰＲＳは周波数において３個のＲＥ間隔を有してもよい。ｃｅｌｌ−ＩＤによって周波数シフトしてもよい。
【００６７】
このような方式に従って、本発明の一実施例では、ＮＰＲＳを以下のようにリソースマッピングして送信することができる。
【００６８】
まず、ＮＢ  ＩｏＴがインバンドモードで動作する場合、ＮＰＲＳは以下のようにリソースマッピングされてもよい。
【００６９】
【数５】
2019533330.tif 000016
【００７０】
ここで、
2019533330.tif 000017
は上位層シグナリングを介して送信されるＮＰＲＳを含むＰＲＢの位置を示す。また、
2019533330.tif 000018
が奇数の場合、
2019533330.tif 000019
と規定され、
2019533330.tif 000020
が偶数の場合は、
2019533330.tif 000021
と規定されてもよい。
【００７１】
また、ＮＢ  ＩｏＴが保護帯域モード又はスタンドアローンモードで動作する場合、ＮＰＲＳは以下のようにリソースマッピングされてもよい。
【００７２】
【数６】
2019533330.tif 000022
【００７３】
すなわち、ＮＢ  ＩｏＴが保護帯域モード又はスタンドアローンモードで動作する場合、ＮＰＲＳ送信シンボルを最初のシンボルから用いることができ、シーケンスはＮＰＲＳを送信するＰＲＢ位置に関係なく規定されてもよい。
【００７４】
ＮＢ−ＩｏＴ  ＰＲＳのために基地局は端末にＰＲＳ送信関連情報を伝達し、当該情報には、サブフレーム長、サブフレーム周期、サブフレームオフセットなどが含まれてもよい。また、ＮＢ−ＩｏＴ  ＰＲＳのＲＥマッピング及びシーケンスの決定に用いられるＩＤ情報は、当該ＮＢ−ＩｏＴ  ＰＲＢの他のチャンネルに適用されるＩＤとは異なってもよく、独立して知らせてもよい。
【００７５】
また、基地局は隣接セルから送信するＰＲＳ送信情報をＮＢ−ＩｏＴ端末に伝達してもよく、各情報は当該Ｃｅｌｌ−ＩＤと連係してサブフレーム長、サブフレーム周期、サブフレームオフセット及びＮＢ−ＩｏＴ  ＰＲＳ送信ＰＲＢ位置を知らせてもよい。
【００７６】
本発明の一実施例において、ＮＢ−ＩｏＴ端末はＬＴＥ  ＰＲＳが送信されるサブフレームにはＮＢ−ＩｏＴのｎｏｒｍａｌ  ｓｕｂｆｒａｍｅは送信されないことを期待してもよい。
【００７７】
また、ＬＴＥ  ＰＲＳが送信されるサブフレームにおいて、ＮＢ−ＩｏＴ  ＰＲＳが送信されることを指示したり、ＮＢ−ＩｏＴ  ＰＲＳが送信されるサブフレームにおいてＬＴＥ  ＰＲＳが送信されることを指示することができる。
【００７８】
本発明の一実施例において、基地局はＮＢ−ＩｏＴ端末にＬＴＥシステムが用いるバンド内においてＮＢ−ＩｏＴが動作するモードを指示することができる。又は、ＬＴＥシステムのバンド内にあるＰＲＢのうちＮＢ−ＩｏＴのためのチャンネル及び信号のために用いられるＰＲＢを指示することができる。このとき、基地局はＮＢ−ＩｏＴ  ＰＲＳが送信可能なＰＲＢを指示して、ＮＢ−ＩｏＴ端末は当該ＰＲＢで送信されるＰＲＳを用いて測定することができる。
【００７９】
ＮＢ−ＩｏＴ端末がインバンド動作（Ｃｅｌｌ−ＩＤがＬＴＥとは異なる場合）において、ＬＴＥ  ＰＲＳサブフレームではＮＢ−ＩｏＴ  ＰＲＳサブフレームが送信されないことと期待することができる。特に、この方式はサービングセル（ｓｅｒｖｉｎｇ  ｃｅｌｌ）がＮＢ−ＩｏＴ  ＵＥに同一のサービングセルではなく、隣接セル（ｎｅｉｇｈｂｏｒ  ｃｅｌｌ）に対するＬＴＥ  ＰＲＳサブフレーム情報を知らせる場合、当該サブフレームではサービングセルでＮＰＲＳ（ＮＢ−ＩｏＴ  ＰＲＳ）が送信されるように適用されてもよい。
【００８０】
上述した実施例において、ＮＢ−ＩｏＴ  ＰＲＳ送信サブフレームの数は、ＬＴＥ  ＰＲＳ送信サブフレームの数より多くてもよく、ＬＴＥ  ＰＲＳ送信サブフレームの一部或いは全てのサブフレームはＮＢ−ＩｏＴ  ＰＲＳ送信サブフレームが送信される時点と重なってもよい。基地局はＮＢ−ＩｏＴ端末にＬＴＥ  ＰＲＳ送信サブフレームの存否を知らせてもよい。
【００８１】
また、上記実施例において、基地局は端末にＬＴＥ  ＰＲＳサブフレームに関する情報を提供することができる（例えば、ｃｅｌｌ−ＩＤ、サブフレーム長、周期、オフセット、バンド幅）。また、隣接セルのＬＴＥ  ＰＲＳサブフレーム情報を提供することができる。端末はＬＴＥ  ＰＲＳを位置測定（ｐｏｓｉｔｉｏｎｉｎｇ  ｍｅａｓｕｒｅｍｅｎｔ）のために用いてもよく、基地局はＬＴＥ  ＰＲＳをＮＢ−ＩｏＴ  ＰＲＳと共に測定に使用できるか否かを知らせてもよい。或いは、基地局が端末にＬＴＥ  ＰＲＳに関する情報を知らせると、端末はＬＴＥ  ＰＲＳをＮＢ−ＩｏＴ  ＰＲＳと共に測定に用いられることと認識してもよい。特に、この動作はＬＴＥ  ＰＲＳとＮＢ−ＩｏＴ  ＰＲＳが同一のＰＲＳ  ＩＤ及び／又は同一のｃｅｌｌ  ＩＤ及び／又は同一のｖ＿ｓｈｉｆｔからなる場合に適用することができる。このとき、ＮＢ−ＩｏＴ  ＰＲＢのＲＥマッピング及び周波数軸におけるＰＲＢ位置によるシーケンス生成規則などはＬＴＥ  ＰＲＳに従ってもよい。
【００８２】
隣接セルＮＢＰＲＳ  ＰＲＢに対しては、サービングセルと同様であると仮定してもよく、ｃｅｌｌ  ＩＤによってＰＲＳがシフトされたり、サービングセルに対するＰＲＳオフセット情報を送信する方式を用いてもよい。
【００８３】
本発明の一実施例において、ＮＢ−ＩｏＴ端末はＣＲＳを測定するために活用してもよい。活用可能な条件としては、インバンド動作モードの場合、ＮＢ−ＩｏＴ端末はサブフレームに含まれているｌｅｇａｃｙ  ＬＴＥのＣＲＳを用いてもよい。
【００８４】
上記実施例において、ｉｎｔｒａ−ｂａｎｄ（すなわち、セル間にセンターが同一の場合）の状況においてＮｏｄｅ−ＢはＰＲＳに対しては測定すべき隣接セルのＣｅｌｌ−ＩＤ及び隣接セルのＰＲＳ情報（サブフレーム長、周期、オフセット、ＰＲＢ情報）を送信するが、このとき、インバンドに含まれているＬＴＥ  ＣＲＳを使用できるか否かを知らせてもよい。又は、インバンド動作モードで動作する端末は、隣接セルでも同様にＣＲＳが送信されることを仮定した上、測定に活用することができる。
【００８５】
上記実施例において、ＮＢ−ＩｏＴ端末がＬｅｇａｃｙ  ＣＲＳを測定に活用するとき、１つのＯＦＤＭシンボルに含まれ得る２個のＣＲＳポート（ｐｏｒｔ）のうち１つのポートを測定用途として活用してもよい。
【００８６】
本発明の別の一実施例では、ＮＢ−ＩｏＴで定義している信号をＰＲＳとして用いてもよい。
【００８７】
例えば、ＮＳＳＳ（Ｎａｒｒｏｗｂａｎｄ  Ｓｅｃｏｎｄａｒｙ  Ｓｙｎｃｈｒｏｎｉｚａｔｉｏｎ  Ｓｉｇｎａｌ）をＰＲＳとして使用可能であれば、サービングセルのｃａｎｄｉｄａｔｅ  ａｎｃｈｏｒ  ＰＲＢ情報（又は、ＮＳＳＳが送信されるＰＲＢ情報）及び当該ＮＳＳＳシーケンス（又は、ＮＢ  ｃｅｌｌ  ＩＤ）及び隣接セルに対する同じ情報をＵＥに送信してもよい。このとき、基地局はインバンドに含まれているＮＳＳＳを使用できるか否かを知らせてもよい。
【００８８】
ＮＢ−ＩｏＴ動作のための様々な参照信号とこれらの関係
【００８９】
一方、以下に、上述したＮＰＲＳのみならず、ＮＢ−ＩｏＴ動作のために用いられる様々な参照信号及びこれらの関係について説明する。
【００９０】
まず、ＮＢ  ＩｏＴシステムでは、データ復調及びチャンネル測定のためにＮＲＳ（Ｎａｒｒｏｗｂａｎｄ  Ｒｅｆｅｒｅｎｃｅ  Ｓｉｇｎａｌ）を新たに定義して、基地局はＮＲＳに対するパワーの絶対値情報を指示してもよい。また、本発明の実施例では、モードに関係なく、常にＮＲＳを送信することを提案する。特に、インバンド動作では、ＬＴＥ  ＣＲＳをＮＲＳと共にさらにデータ復調に用いられるように規定することを提案する。このとき、ＮＲＳとＬＴＥ  ＣＲＳとの電力差によって推定チャンネルのサイズが変わる問題があり得て、これを解決するためにＮＲＳとＬＴＥ  ＣＲＳとの電力比情報を指示してもよい。
【００９１】
図６は、本発明の一実施例によって、ＵＥがＮＢ−ＩｏＴの下りリンク参照信号を受信する方式を説明する図である。
【００９２】
まず、ＵＥは下りリンクを介してＮＲＳを１ｓｔタイプのサブフレームによって受信することができる（Ｓ６１０）。ＮＲＳを受信する１ｓｔタイプのサブフレームは、予め規定されたサブフレームであるか、システム情報を通じて１ｓｔタイプのサブフレームの構成情報を受信することができる。
【００９３】
一方、ＵＥは、ＮＰＲＳが受信可能な２ｎｄタイプのサブフレームに関する構成情報を上位層によって受信してもよい（Ｓ６２０）。これによって、ＵＥは、２ｎｄタイプのサブフレームにおいてＮＰＲＳを受信するものの、もし２ｎｄタイプのサブフレームの構成情報による２ｎｄタイプのサブフレームが上述した１ｓｔタイプのサブフレームと一部重なっても、ＵＥは当該サブフレームでＮＰＲＳのみ受信して、ＮＲＳを受信しないことと仮定して動作することができる。すなわち、ＵＥは、２ｎｄタイプのサブフレームでは、ＮＲＳ無しにＮＰＲＳのみを受信することを仮定して動作することができる（Ｓ６３０）。
【００９４】
ＮＲＳはＮＰＤＣＣＨ／ＮＰＤＳＣＨの復調のために用いられてもよく、これによって１ｓｔタイプのサブフレームは、ＮＢ−ＩｏＴ動作におけるｎｏｒｍａｌ  ｓｕｂｆｒａｍｅ又はＤＬ  ｖａｌｉｄ  ｓｕｂｆｒａｍｅと称されてもよい。このような一般サブフレームの構成とＮＰＲＳ送信のための２ｎｄタイプのサブフレームの構成において、２ｎｄタイプのサブフレームを優先することが望ましく、よって本発明の一実施例では、２ｎｄタイプのサブフレームの構成情報によるサブフレームではＮＲＳが送信されないことと規定する。
【００９５】
すなわち、ＮＢ−ＩｏＴ端末は、ＮＢ−ＩｏＴ  ＰＲＳが送信されるサブフレームにはＮＢ−ＩｏＴのｎｏｒｍａｌ  ｓｕｂｆｒａｍｅは送信されないことと期待してもよく、詳細な動作例は以下のようである。
【００９６】
ＮＰＲＳ（ＮＢ−ＩｏＴ  ＰＲＳ）が送信されるように構成されたサブフレームは、ＮＢ−ＩｏＴのＤＬ  ｖａｌｉｄ  ｓｕｂｆｒａｍｅ（ＮＲＳが送信されてＮＰＤＣＣＨ／ＮＰＤＳＣＨが送信され得るサブフレーム）で構成されてもＮＲＳ（或いは、ＮＰＤＣＣＨ／ＮＰＤＳＣＨ）が送信されないことが望ましい。
【００９７】
或いは、ＤＬ  ｖａｌｉｄ  ｓｕｂｆｒａｍｅで構成されたサブフレームには、ＮＰＲＳが送信されるサブフレームで構成されてもＮＰＲＳが送信されないことが望ましい。
【００９８】
特に、上述のように、ＮＰＲＳが送信されるサブフレームを含む複数のＤＬ  ｖａｌｉｄ  ｓｕｂｆｒａｍｅを通じてＮＰＤＣＣＨ／ＮＰＤＳＣＨがＮ回繰り返し送信されるようにスケジューリングされる場合、ＵＥはＮＰＤＣＣＨ／ＮＰＤＳＣＨが当該サブフレームを除くＮ個のＤＬ  ｖａｌｉｄ  ｓｕｂｆｒａｍｅを通じて送信されることと理解して動作してもよい。
【００９９】
ＮＢ−ＩｏＴのＤＬ  ｖａｌｉｄ  ｓｕｂｆｒａｍｅは、ＮＢ−ＩｏＴのＤＬ送信のために用いられるサブフレームであって、ＮＰＤＣＣＨ／ＮＰＤＳＣＨ／ＮＲＳなどが送信されるＮＢ−ＩｏＴのｎｏｒｍａｌ  ｓｕｂｆｒａｍｅ又はＮＰＲＳが送信されるサブフレームなどとして用いられてもよい。
【０１００】
また、ＮＢ−ＩｏＴ端末は、ＮＢ−ＩｏＴ  ＰＲＳが送信されるサブフレームにはＬＴＥ  ＣＲＳは送信されないことと期待してもよい。
【０１０１】
ＮＲＳとＮＰＲＳとの電力比
【０１０２】
上述のように、ＮＰＲＳとＮＢ  ＩｏＴにおいて測定のためにさらに信号が用いられる場合、ＮＰＲＳと当該信号とのパワーの差によって測定された値の正確度が低下する問題が発生する可能性がある。これを解決するために、ＮＰＲＳと当該信号とのパワーに関する情報が求められる。
【０１０３】
例えば、ＰＲＳ＿ＲＡを定義してもよい（ＰＲＳ−ｔｏ−ＲＳ  ＥＰＲＥ  ｒａｔｉｏ  ｆｏｒ  ｔｈｅ  ＰＲＳ  ｉｎ  ａｌｌ  ｔｒａｎｓｍｉｔｔｅｄ  ＯＦＤＭ  ｓｙｍｂｏｌｓ  ｎｏｔ  ｃｏｎｔａｉｎｉｎｇ  ＣＲＳ）。
【０１０４】
また、ＮＲＳとＮＰＲＳに対するｐｏｗｅｒ  ｒａｔｉｏを定義して、このｒａｔｉｏは何段階のオフセットで構成されてもよい。
【０１０５】
ＮＰＲＳが送信されるサブフレームでは、ＮＲＳ、ＬＴＥ  ＣＲＳなどが送信されてもよく、データは送信されない方が好ましい。
【０１０６】
ＮＲＳ電力（又は、エネルギー）に対するＮＲＳが送信されないＯＦＤＭシンボルに含まれたＲＥの電力（又は、エネルギー）の比率を定義して知らせてもよい。このとき、ＮＰＲＳはＮＲＳが送信されないＯＦＤＭシンボルに送信されるため、ＮＰＲＳの送信電力比を間接的に知ることができる。
【０１０７】
ＮＢ  ＩｏＴ送信のために割り当てられたＰＲＢでＬＴＥ  ＣＲＳが送信されるＯＦＤＭシンボルに含まれたＲＥの電力は、ＬＴＥ  ＣＲＳ及びＮＲＳが送信されないＯＦＤＭシンボルに含まれたＲＥの電力と同一であると仮定する。
【０１０８】
ＮＰＲＳが送信されるＯＦＤＭシンボルにＬＴＥ  ＣＲＳが送信される場合、当該ＯＦＤＭシンボルにあるＮＰＲＳの送信電力は、ＬＴＥ  ＣＲＳ及びＮＲＳが送信されないＯＦＤＭシンボルに含まれたＲＥの電力と同一であると仮定する。ここで、ＮＰＲＳ送信電力は、ＣＲＳが送信されても送信されなくても、同一の送信電力を仮定する。
【０１０９】
ＮＰＲＳが送信される帯域又はサブフレームにＮＲＳが送信されないことが望ましい。
【０１１０】
ＮＰＲＳが送信されるＯＦＤＭシンボルのＲＥに対する送信電力は、ＮＲＳが送信される帯域又はサブフレームに含まれたＯＦＤＭシンボルのＮＲＳの電力（又は、エネルギー）に対する比率で定義してもよい。
【０１１１】
また、本発明の一実施例では、ＮＰＲＳ送信電力に対する他の信号の送信電力の比率を定義してもよい。
【０１１２】
ＮＰＲＳと共に位置測定に用いられる他の信号、すなわちＮＲＳ、ＬＴＥ  ＣＲＳ、ＮＰＳＳ、ＮＳＳＳ、ＬＴＥ  ＰＲＳなどの信号との送信電力の比率を定義してもよい。例えば、ＮＰＲＳと従来のＬＴＥ  ＰＲＳが共に用いられる場合、２つのチャンネルの送信電力比率が予め定義されるか（ｅ.ｇ.  ＵＥは２つのチャンネルの送信電力が同じであることを仮定）、基地局が２つのチャンネルの送信電力比率を通知したり各チャンネルの送信電力そのものを通知してもよい。別の例として、ＮＢ  ＩｏＴ端末が従来のＬＴＥ送信に用いる帯域内で送信され、ネットワークからＬＴＥ  ＣＲＳに対する情報が受信できるとき、ＮＰＲＳとＬＴＥ  ＣＲＳとの送信電力比率を通知したり、各チャンネルの送信電力そのものを通知してもよい。
【０１１３】
上述したＮＲＳの電力は、ＮＢ-ＩｏＴ  ＵＥが最初接続できるａｎｃｈｏｒ  ＰＲＢで送信されるＮＲＳの電力と限定してもよい。
【０１１４】
上述のように、ｐｏｗｅｒ  ｒａｔｉｏを定義して、ＳＩＢ或いはその他のＲＲＣシグナリングを介してＵＥに伝達してもよい。
【０１１５】
装置構成
【０１１６】
図７は、本発明の実施例を実行する送信装置１０及び受信装置２０の構成要素を示すブロック図である。
【０１１７】
送信装置１０及び受信装置２０は、情報及び／又はデータ、信号、メッセージなどを運ぶ無線信号を送信又は受信できるＲＥ（Ｒａｄｉｏ  Ｆｒｅｑｕｅｎｃｙ）ユニット１３，２３と、無線通信システム内の通信と関連した各種情報を記憶するメモリ１２，２２と、ＲＥユニット１３，２３及びメモリ１２，２２などの構成要素と動作可能に接続してこれらの構成要素を制御し、当該装置が前述の本発明の実施例の少なくとも一つを実行するようにメモリ１２，２２及び／又はＲＥユニット１３，２３を制御するように構成されたプロセッサー１１，２１をそれぞれ備える。
【０１１８】
メモリ１２，２２は、プロセッサー１１，２１の処理及び制御のためのプログラムを格納することができ、入力／出力される情報を仮記憶することができる。メモリ１２，２２がバッファーとして活用されてもよい。
【０１１９】
プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ（ｃｏｎｔｒｏｌｌｅｒ）、マイクロコントローラ（ｍｉｃｒｏｃｏｎｔｒｏｌｌｅｒ）、マイクロプロセッサー（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサー１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサー４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０１２０】
送信装置１０におけるプロセッサー１１は、プロセッサー１１又はプロセッサー１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、ＲＦユニット１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである送信ブロックと等価である。一送信ブロック（ｔｒａｎｓｐｏｒｔ  ｂｌｏｃｋ，ＴＢ）は一コードワードに符号化され、各コードワードは一つ以上のレイヤの形態で受信装置に送信される。周波数上り変換のためにＲＦユニット１３はオシレータ（ｏｓｃｉｌｌａｔｏｒ）を含むことができる。ＲＦユニット１３はＮｔ個（Ｎｔは１以上の正の整数）の送信アンテナを含むことができる。
【０１２１】
受信装置２０の信号処理過程は、送信装置１０の信号処理過程の逆となる。プロセッサー２１の制御下に、受信装置２０のＲＦユニット２３は送信装置１０から送信された無線信号を受信する。ＲＦユニット２３は、Ｎｒ個の受信アンテナを含むことができ、ＲＦユニット２３は受信アンテナから受信した信号のそれぞれを周波数下り変換して（ｆｒｅｑｕｅｎｃｙ  ｄｏｗｎ−ｃｏｎｖｅｒｔ）基底帯域信号に復元する。ＲＦユニット２３は、周波数下り変換のためにオシレータを含むことができる。プロセッサー２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１２２】
ＲＦユニット１３，２３は一つ以上のアンテナを具備する。アンテナは、プロセッサー１１，２１の制御下に、本発明の一実施例によって、ＲＦユニット１３，２３で処理された信号を外部に送信したり、外部から無線信号を受信してＲＦユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ，ＲＳ）は受信装置２０の観点で見たアンテナを定義し、チャンネルが一物理アンテナからの単一（ｓｉｎｇｌｅ）無線チャンネルであるか、或いは当該アンテナを含む複数の物理アンテナ要素（ｅｌｅｍｅｎｔ）からの合成（ｃｏｍｐｏｓｉｔｅ）チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は２個以上のアンテナに接続されてもよい。
【０１２３】
本発明の実施例において、ＵＥは上りリンクでは送信装置１０として動作し、下りリンクでは受信装置２０として動作する。本発明の実施例において、ｅＮＢは上りリンクでは受信装置２０として動作し、下りリンクでは送信装置１０として動作する。以下、ＵＥに備えられたプロセッサー、ＲＦユニット及びメモリをＵＥプロセッサー、ＵＥ  ＲＦユニット及びＵＥメモリとそれぞれ称して、ｅＮＢに備えられたプロセッサー、ＲＦユニット及びメモリをｅＮＢプロセッサー、ｅＮＢ  ＲＦユニット及びｅＮＢメモリとそれぞれ称する。
【０１２４】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１２５】
上述したような本発明は、ＬＴＥシステムをベースとしてＩｏＴサービスを提供する無線通信システムのみならず、ＩｏＴサービスを提供するために狭帯域（Ｎａｒｒｏｗ  Ｂａｎｄ）通信を支援する様々な無線システムに適用されることができる。
【図１】
2019533330.tif 000027
【図２】
2019533330.tif 000028
【図３】
2019533330.tif 000029
【図４】
2019533330.tif 000030
【図５】
2019533330.tif 000031
【図６】
2019533330.tif 000032
【図７】
2019533330.tif 000033
【国際調査報告】
2019533330.tif 000034
2019533330.tif 000035
2019533330.tif 000036
2019533330.tif 000037